(57)【要約】【課題】装置固有の特殊なデータ形式の画像データであっても、外部装置と画像を共有できるようにする。【解決手段】撮像素子固有のＲＡＷデータ記録モードで撮影中のカメラにおいて、リンクを生成して使用する場合、汎用の画像フォーマットであるＪＰＥＧ方式の画像データに変換するか、もしくは汎用の画像フォーマットであるＪＰＥＧ方式の画像データも同時に記録して、リンク先の機器もしくはサーバーに送信するようにして、高画質なＲＡＷデータ形式の画像データを記録するとともに、汎用性のあるＪＰＥＧ方式の画像データを共有する。【選択図】図１
2010114534.tif 000002
【特許請求の範囲】
【請求項１】
記録される画像の画像データを外部装置に送信する画像通信装置であって、
前記外部装置での再生が保証されない特殊なデータ形式である第１のデータ形式、または前記外部装置での再生が可能な汎用のデータ形式である第２のデータ形式により画像データを記録媒体に記録する記録手段と、
前記記録手段によって前記第１のデータ形式の画像データを記録する記録モードである場合に、前記記録媒体に記録される前記第１のデータ形式の画像データを前記第２のデータ形式に変換する変換手段と、
前記記録手段によって前記第１のデータ形式の画像データを記録することに連動して、前記変換手段によって前記第２のデータ形式に変換された画像データを前記外部装置に送信する通信手段とを有することを特徴とする画像通信装置。
【請求項２】
前記変換手段によって変換された第２のデータ形式の画像データは、前記第１のデータ形式によって記録された画像データであることを識別するための情報を含むことを特徴とする請求項１に記載の画像通信装置。
【請求項３】
記録される画像の画像データを外部装置に送信する画像通信装置であって、
前記外部装置での再生が保証されない特殊なデータ形式である第１のデータ形式、または前記外部装置での再生が可能な汎用のデータ形式である第２のデータ形式により画像データを記録媒体に記録する記録手段と、
前記記録手段によって前記第１のデータ形式の画像データを記録する記録モードである場合に、前記記録媒体に記録される画像データに少なくとも前記第２のデータ形式の画像データを含むように前記記録手段の記録モードを制御する制御手段と、
前記制御手段の制御により前記記録媒体に記録された第２のデータ形式の画像データを前記外部装置に送信する通信手段とを有することを特徴とする画像通信装置。
【請求項４】
前記制御手段は、前記第１のデータ形式の画像データと前記第２のデータ形式の画像データとを記録する記録モードに変更することを特徴とする請求項３に記載の画像通信装置。
【請求項５】
前記通信手段によって前記外部装置に前記第２のデータ形式の画像データを送信した後に、前記第２のデータ形式の画像データを前記記録媒体から削除する削除手段をさらに有することを特徴とする請求項３または４に記載の画像通信装置。
【請求項６】
前記制御手段の制御により前記記録媒体に記録された第２のデータ形式の画像データは、前記第２のデータ形式の画像データに対応する第１のデータ形式の画像データを識別するための情報を含むことを特徴とする請求項３乃至５の何れか１項に記載の画像通信装置。
【請求項７】
前記画像を撮像するための撮像手段を更に有し、
前記第１のデータ形式は、前記撮像手段に固有のデータ形式であることを特徴とする請求項１乃至６の何れか１項に記載の画像通信装置。
【請求項８】
記録される画像の画像データを外部装置に送信する画像通信方法であって、
前記外部装置での再生が保証されない特殊なデータ形式である第１のデータ形式、または前記外部装置での再生が可能な汎用のデータ形式である第２のデータ形式により画像データを記録媒体に記録する記録工程と、
前記記録工程において前記第１のデータ形式の画像データを記録する記録モードである場合に、前記記録媒体に記録される前記第１のデータ形式の画像データを前記第２のデータ形式に変換する変換工程と、
前記記録工程において前記第１のデータ形式の画像データを記録することに連動して、前記変換工程において前記第２のデータ形式に変換された画像データを前記外部装置に送信する通信工程とを有することを特徴とする画像通信方法。
【請求項９】
記録される画像の画像データを外部装置に送信する画像通信方法であって、
前記外部装置での再生が保証されない特殊なデータ形式である第１のデータ形式、または前記外部装置での再生が可能な汎用のデータ形式である第２のデータ形式により画像データを記録媒体に記録する記録工程と、
前記記録工程において前記第１のデータ形式の画像データを記録する記録モードである場合に、前記記録媒体に記録される画像データに少なくとも前記第２のデータ形式の画像データを含むように前記記録工程における記録モードを制御する制御工程と、
前記制御工程における制御により前記記録媒体に記録された第２のデータ形式の画像データを前記外部装置に送信する通信工程とを有することを特徴とする画像通信方法。
【請求項１０】
記録される画像の画像データを外部装置に送信する画像通信方法の各工程をコンピュータに実行させるプログラムであって、
前記外部装置での再生が保証されない特殊なデータ形式である第１のデータ形式、または前記外部装置での再生が可能な汎用のデータ形式である第２のデータ形式により画像データを記録媒体に記録する記録工程と、
前記記録工程において前記第１のデータ形式の画像データを記録する記録モードである場合に、前記記録媒体に記録される前記第１のデータ形式の画像データを前記第２のデータ形式に変換する変換工程と、
前記記録工程において前記第１のデータ形式の画像データを記録することに連動して、前記変換工程において前記第２のデータ形式に変換された画像データを前記外部装置に送信する通信工程とをコンピュータに実行させることを特徴とするプログラム。
【請求項１１】
記録される画像の画像データを外部装置に送信する画像通信方法の各工程をコンピュータに実行させるプログラムであって、
前記外部装置での再生が保証されない特殊なデータ形式である第１のデータ形式、または前記外部装置での再生が可能な汎用のデータ形式である第２のデータ形式により画像データを記録媒体に記録する記録工程と、
前記記録工程において前記第１のデータ形式の画像データを記録する記録モードである場合に、前記記録媒体に記録される画像データに少なくとも前記第２のデータ形式の画像データを含むように前記記録工程における記録モードを制御する制御工程と、
前記制御工程における制御により前記記録媒体に記録された第２のデータ形式の画像データを前記外部装置に送信する通信工程とをコンピュータに実行させることを特徴とするプログラム。
【請求項１２】
請求項１０または１１に記載のプログラムを記憶したことを特徴とするコンピュータ読み取り可能な記憶媒体。
【発明の詳細な説明】
【技術分野】
【０００１】
本発明は画像通信装置、画像通信方法、プログラム及び記憶媒体に関し、特に、現像処理を行う前のデジタルデータを他の装置に送信するために用いて好適な技術に関する。
【背景技術】
【０００２】
近年、無線ＬＡＮやBluetooth（登録商標）による通信機能を備えたデジタルカメラが製品化されている。これらの通信機能付きデジタルカメラでは、本体に装着された記録媒体に撮影画像データを記録する以外の機能を有している。さらに、撮影画像をネットワーク上のサーバーに自動的にアップロードする機能や、特許文献１に開示されているような複数台のデジタルカメラ間でリアルタイムに撮影画像を共有する共有機能が実現されている。このように、本体に装着された記録メディアへ記録する機能にとどまらない撮影画像の新たな活用法が提案されている。これは、撮影画像を共有し、コミュニケーションの手段として利用する新たなデジタルカメラの用途である。
【０００３】
一方、デジタル一眼レフカメラのような上級機種においては、従来からのＪＰＥＧ方式といった汎用画像フォーマットでデジタルデータを記録する記録モードのみを有しているわけではない。さらに、ロウ（ＲＡＷ）データと呼ばれる撮像素子からのデジタルデータを現像処理することなくそのまま記録する記録モードをも有している上級機種が主流となってきている。
【０００４】
現像処理を行った後の汎用画像フォーマットでは、撮影時の情報の全てが保存されるわけではない。そこで、現像処理を行う前のデジタルデータを記録しておけば、後にソフトウェアによって現像処理を行うことができる。したがって、ＲＡＷデータフォーマットの記録形式によって記録を行うことにより、後から露出や色合い等を好みの設定に変更することが可能となる。
【０００５】
【特許文献１】特開２００４−１７２９８８号公報
【発明の開示】
【発明が解決しようとする課題】
【０００６】
一般に、前述のＲＡＷデータフォーマットはカメラシステムに依存しており、さらに現像処理も固有のものとなるため、メーカー間及び機種間での再生は保証されないのが現状である。したがって、ＲＡＷデータ形式の画像データの記録を行っているデジタルカメラとの間で撮影した画像データを共有する機能を実行する場合には、同一機種でのみしか共有された画像データの再生が行うことができないという問題点があった。
【０００７】
本発明は前述の問題点に鑑み、装置固有の特殊なデータ形式の画像データであっても、外部装置と画像を共有できるようにすることを目的としている。
【課題を解決するための手段】
【０００８】
本発明の画像通信装置は、記録される画像の画像データを外部装置に送信する画像通信装置であって、前記外部装置での再生が保証されない特殊なデータ形式である第１のデータ形式、または前記外部装置での再生が可能な汎用のデータ形式である第２のデータ形式により画像データを記録媒体に記録する記録手段と、前記記録手段によって前記第１のデータ形式の画像データを記録する記録モードである場合に、前記記録媒体に記録される前記第１のデータ形式の画像データを前記第２のデータ形式に変換する変換手段と、前記記録手段によって前記第１のデータ形式の画像データを記録することに連動して、前記変換手段によって前記第２のデータ形式に変換された画像データを前記外部装置に送信する通信手段とを有することを特徴とする。
また、本発明の画像通信装置の他の特徴とするところは、記録される画像の画像データを外部装置に送信する画像通信装置であって、前記外部装置での再生が保証されない特殊なデータ形式である第１のデータ形式、または前記外部装置での再生が可能な汎用のデータ形式である第２のデータ形式により画像データを記録媒体に記録する記録手段と、前記記録手段によって前記第１のデータ形式の画像データを記録する記録モードである場合に、前記記録媒体に記録される画像データに少なくとも前記第２のデータ形式の画像データを含むように前記記録手段の記録モードを制御する制御手段と、前記制御手段の制御により前記記録媒体に記録された第２のデータ形式の画像データを前記外部装置に送信する通信手段とを有することを特徴とする。
【０００９】
本発明の画像通信方法は、記録される画像の画像データを外部装置に送信する画像通信方法であって、前記外部装置での再生が保証されない特殊なデータ形式である第１のデータ形式、または前記外部装置での再生が可能な汎用のデータ形式である第２のデータ形式により画像データを記録媒体に記録する記録工程と、前記記録工程において前記第１のデータ形式の画像データを記録する記録モードである場合に、前記記録媒体に記録される前記第１のデータ形式の画像データを前記第２のデータ形式に変換する変換工程と、前記記録工程において前記第１のデータ形式の画像データを記録することに連動して、前記変換工程において前記第２のデータ形式に変換された画像データを前記外部装置に送信する通信工程とを有することを特徴とする。
また、本発明の画像通信方法の他の特徴とするところは、記録される画像の画像データを外部装置に送信する画像通信方法であって、前記外部装置での再生が保証されない特殊なデータ形式である第１のデータ形式、または前記外部装置での再生が可能な汎用のデータ形式である第２のデータ形式により画像データを記録媒体に記録する記録工程と、前記記録工程において前記第１のデータ形式の画像データを記録する記録モードである場合に、前記記録媒体に記録される画像データに少なくとも前記第２のデータ形式の画像データを含むように前記記録工程における記録モードを制御する制御工程と、前記制御工程における制御により前記記録媒体に記録された第２のデータ形式の画像データを前記外部装置に送信する通信工程とを有することを特徴とする。
【００１０】
本発明のプログラムは、記録される画像の画像データを外部装置に送信する画像通信方法の各工程をコンピュータに実行させるプログラムであって、前記外部装置での再生が保証されない特殊なデータ形式である第１のデータ形式、または前記外部装置での再生が可能な汎用のデータ形式である第２のデータ形式により画像データを記録媒体に記録する記録工程と、前記記録工程において前記第１のデータ形式の画像データを記録する記録モードである場合に、前記記録媒体に記録される前記第１のデータ形式の画像データを前記第２のデータ形式に変換する変換工程と、前記記録工程において前記第１のデータ形式の画像データを記録することに連動して、前記変換工程において前記第２のデータ形式に変換された画像データを前記外部装置に送信する通信工程とをコンピュータに実行させることを特徴とする。
また、本発明のプログラムの他の特徴とするところは、記録される画像の画像データを外部装置に送信する画像通信方法の各工程をコンピュータに実行させるプログラムであって、前記外部装置での再生が保証されない特殊なデータ形式である第１のデータ形式、または前記外部装置での再生が可能な汎用のデータ形式である第２のデータ形式により画像データを記録媒体に記録する記録工程と、前記記録工程において前記第１のデータ形式の画像データを記録する記録モードである場合に、前記記録媒体に記録される画像データに少なくとも前記第２のデータ形式の画像データを含むように前記記録工程における記録モードを制御する制御工程と、前記制御工程における制御により前記記録媒体に記録された第２のデータ形式の画像データを前記外部装置に送信する通信工程とをコンピュータに実行させることを特徴とする。
【００１１】
本発明の記憶媒体は、前記の何れかに記載のプログラムを記憶したことを特徴とする。
【発明の効果】
【００１２】
本発明によれば、装置固有の特殊なデータ形式の画像データを記録する場合であっても、外部装置と画像を共有することができる。
【発明を実施するための最良の形態】
【００１３】
（第１の実施形態）
以下、図面を参照しながら本発明の実施形態について詳細に説明する。
図１は、本実施形態における、外部装置（カメラ等の機器）との共有リンクを生成する機能を備えた映像記録装置１００の概略構成例を示すブロック図である。
図１において、１０８はシステムコントローラであり、各部の動作およびタイミングを制御する。１０１はカメラ光学系であり、被写体を撮像するレンズ系、露出制御のための絞り機構、及びフォーカシング制御機構などから構成されている。
【００１４】
カメラ光学系１０１で撮影された被写体からの映像は、撮像素子１０２によって電気信号に変換され、アナログ信号処理回路１０３においてゲイン等の調整が行われる。そして、Ａ／Ｄ変換回路１０４によってデジタルデータに変換され、第１のバッファメモリ１０５に保持される。このようにして得られるデジタルデータは、通常、撮像素子の構成に依存した固有のデータ形式である。
【００１５】
図２は、撮像素子１０２の構成法の一例として、一枚のセンサーユニット上に色情報を再現するためのカラーフィルターを配列させた単板方式の画素配置例を示す図である。図２に示した例は、ベイヤー配列と呼ばれるカラーフィルターの配置方式であり、２０１及び２０４はグリーン、２０２はレッド、２０３はブルーのカラーフィルターである。
【００１６】
この３種類の色からなる基本画素配置をセンサーユニット全面で２次元的に繰り返したものがベイヤー配列による撮像素子の構成法である。この構成法により、グリーン、レッド、ブルーに相当する各画素からは各色に対応した色情報を持つ映像信号が得られる。このように、Ａ／Ｄ変換回路１０４から出力されて第１のバッファメモリ１０５に保持されるデジタルデータ（映像データ）は、図２に示す画素配置に相当する撮像素子固有のデータ形式である。
【００１７】
このデータ形式は、撮影時に得られる全ての映像情報をそのまま含んでいるため、情報量が多く、それに比例してデータのサイズも大きい。また、この段階では画像として扱えないため、一般的な画像フォーマットに変換するためのデジタル現像処理が必要である。
【００１８】
カメラ信号処理回路１０６では、撮像素子固有のデータ形式であるデジタルデータに対して、色分離や色空間変換、画素補間、ホワイトバランス、ガンマ処理等からなるデジタル現像処理を行い、一般的な画像形式の画像データに変換する。
【００１９】
図３は、カメラ信号処理回路１０６によるデジタル現像処理の結果を示す図である。３０１は輝度成分Ｙの画素であり、３０２は色差成分Ｃｒの画素である。また、３０３は、色差成分Ｃｂの画素である。図３に示すように、色空間変換と画素補間とによってデジタル現像処理後の画像データは、格子状に等間隔にならぶ輝度成分Ｙと、輝度成分Ｙに対して縦横で１／２の解像度となる色差成分Ｃｒ、Ｃｂの画素配置とに変換される。図３に示す例における画像データの形式は、ＹＣｒＣｂ  ４：２：０と呼ばれるデータ形式である。
【００２０】
このように変換された画像データは、撮像素子の構成に依存しないものであるが、画素全ての情報が揃っているため、データのサイズは依然として大きい。このため、記録媒体（記録メディア）へ効率良く記録するためには、ＪＰＥＧ方式等の圧縮符号化を行うことが多い。
【００２１】
映像記録装置１００の記録モードがＪＰＥＧ記録モードである場合、記録モード制御回路１０９の制御によって第１のスイッチ１１８がＯＮとなり、圧縮符号化機能が有効になる。この場合、デジタル現像処理を行った後の画像データは、圧縮符号化回路１１０によって、例えば、ＪＰＥＧ方式の符号化によるデータ圧縮が行われる。
【００２２】
また、記録モードがＪＰＥＧ記録モードである場合、同じく記録モード制御回路１０９の制御によって第２のスイッチ１１９が端子Ａに接続される。そして、圧縮符号化回路１１０によってＪＰＥＧ方式の符号化が行われた画像データが、メディア記録回路１１１に供給される。メディア記録回路１１１は、第２のバッファメモリ１１６に対して画像データのバッファリングを行うとともに、記録メディア１１２にＪＰＥＧ方式で符号化された画像データを記録する。
【００２３】
一方、高画質が要求されるデジタル一眼レフカメラ等では、デジタル現像処理及び圧縮符号化を行う前の、撮像素子の固有のデータ形式のまま画像データを記録するモードを備えており、一般にロウ（ＲＡＷ）データ記録モードと呼ばれている。このＲＡＷデータ記録モードは、後にソフトウェアによってデジタル現像処理を行い、好みの画質を得る場合に有効である。本実施形態の映像記録装置１００は、このＲＡＷデータ記録モードによって画像データを記録することができる。
【００２４】
映像記録装置１００の記録モードがＲＡＷデータ記録モードである場合、ＲＡＷデータフォーマット回路１０７は、第１のバッファメモリ１０５に保持されている撮像素子固有のデータ形式である画像データを読み出す。そして、読み出した画像データに対して、ＲＡＷデータファイルとして必要な付加情報を付加し、ＲＡＷデータ形式に変換する。
【００２５】
なお、ＲＡＷデータ形式の画像データに関しては、可逆符号化を用いたデータ圧縮が行われる場合もある。さらに、ＲＡＷデータファイルには、カメラ信号処理回路１０６でデジタル現像処理を行った画像を縮小したデータがプレビュー／サムネール用データとして付加される場合もある。
【００２６】
一般にＲＡＷデータ記録モードにおいては、ＪＰＥＧ方式による符号化は不要であるため、記録モード制御回路１０９の制御によって第１のスイッチ１１８がＯＦＦとなり、ＪＰＥＧ方式による圧縮符号化が停止される。これは、不要な処理回路を停止することによって消費電力を低減する目的で行われる。
【００２７】
また、記録モードがＲＡＷデータ記録モードである場合、同じく記録モード制御回路１０９の制御によって第２のスイッチ１１９が端子Ｂに接続される。そして、ＲＡＷデータフォーマット回路１０７からＲＡＷデータ形式の画像データがメディア記録回路１１１に供給される。メディア記録回路１１１は、第２のバッファメモリ１１６に対して画像データのバッファリングを行うとともに、記録メディア１１２にＲＡＷデータ形式の画像データを記録する。
【００２８】
次に、他の映像記録装置と画像を交換するために、接続処理を行う時の動作について説明する。
共有リンク制御回路１１３は、ユーザーの操作によって、共有リンクを生成するための接続処理の開始が指示された場合、無線通信回路１１５を介して他の映像記録装置から共有リンクを生成することが可能な機器の探索を行う。そして、該当する機器との接続を行って共有リンクを生成する。これにより、接続された機器同士で撮影画像データの送受信が可能になる。
【００２９】
また、本実施形態において、共有リンク制御回路１１３は、共有リンクを生成するためのネゴシエーション段階において、自機の記録モード（記録形式）と、リンク先の機器の再生可能ファイル形式とを考慮して、送信用の画像データのデータ形式を決定する。
上述のＲＡＷデータ形式は、同じ機種等である場合を除いて、一般的に他の装置での再生が保証されない特殊なデータ形式である。そこで、リンク先の機器が再生可能なデータ形式を問い合わせ、外部装置がＲＡＷ画像データを再生できない場合には、ＲＡＷ画像データに替えて、外部装置での再生が可能な汎用のデータ形式（例えばＪＰＥＧ方式）の画像データを送信する。
【００３０】
図８は、本実施形態において、送信する画像データのデータ形式を決定する時の処理手順の一例を示すフローチャートである。
図８のステップＳ８０１において、処理を開始すると、次のステップＳ８０２において、共有リンク制御回路１１３は、共有リンクを生成するためのネゴシエーションを開始する。次に、ステップＳ８０３において、共有リンクを生成することが可能な機器が存在するか否かを判定する。この判定の結果、共有リンクを生成することが可能な機器が存在しなかった場合は、ステップＳ８０４に進み、リンクエラー処理を行う。
【００３１】
一方、ステップＳ８０３の判定の結果、共有リンクを生成することが可能な機器が存在する場合は、ステップＳ８０５に進み、システムコントローラ１０８は、自機の記録モードがＲＡＷデータ記録モードであるか否かを判定する。この判定の結果、自機の記録モードが撮像素子固有のデータ形式のＲＡＷデータ記録モードでない場合は、ＪＰＥＧ方式等の画像データをそのまま送信する通常モードであるため、ステップＳ８０９に進み、ネゴシエーションを終了する。
【００３２】
一方、ステップＳ８０５の判定の結果、自機の記録モードがＲＡＷデータ記録モードである場合は、次のステップＳ８０６において、接続先の機器に対して、再生フォーマットを問い合わせる。次に、ステップＳ８０７において、システムコントローラ１０８は、自機の記録モードで変換されたＲＡＷデータ形式の画像データが接続先の機器において再生可能であるか否かを判定する。この判定の結果、再生可能である場合は、ＲＡＷデータ形式の画像データをそのまま送信する通常モードとしてステップＳ８０９に進み、ネゴシエーションを終了する。
【００３３】
一方、ステップＳ８０７の判定の結果、接続先の機器においてＲＡＷデータ形式の画像データが再生不可である場合は、ステップＳ８０８に進み、システムコントローラ１０８は、ＪＰＥＧデータ変換機能をＯＮにする。なお、ＪＰＥＧデータ変換機能の詳細については後述する。この場合、自機で記録される画像データは第１のデータ形式であるＲＡＷデータ形式であるが、送信する画像データは汎用画像フォーマットである第２のデータ形式のＪＰＥＧ方式の画像データとなる。
【００３４】
また、接続先の機器でＲＡＷデータ形式の画像データが再生可能であるか否かにかかわらず転送するデータ量を削減する等のために、送信データをＪＰＥＧ方式の画像データとしてもよい。この場合は、ステップＳ８０６〜Ｓ８０７をスキップし、ステップＳ８０５での自機の記録モードによってステップＳ８０８のＪＰＥＧデータ変換機能を決定してもよい。
【００３５】
次に、図１に示す概略構成の説明に戻り、共有リンクが生成された状態における各部の動作について説明する。
記録モードがＪＰＥＧ記録モードである場合など、ＪＰＥＧデータ変換機能がＯＮにならない通常モードの場合は、第１のスイッチ１１８及び第３のスイッチ１２０はＯＦＦとなる。そして、データ共有回路１１４には、メディア記録回路１１１から記録中の画像データそのものが供給され、無線通信回路１１５によって、共有リンクを形成する他の機器に送信される。
【００３６】
なお、記録中の画像データは、記録及び送信のタイミング／スピードに応じて第２のバッファメモリ１１６もしくは記録メディア１１２から読み出される。データ共有回路１１４は、送信用の第３のバッファメモリ１１７に対して、読み出された画像データを送信終了までの期間バッファリングする。
【００３７】
一方、記録モードがＲＡＷデータ記録モードであり、ＪＰＥＧデータ変換機能がＯＮとなる場合は、共有リンク制御回路１１３は変換手段として機能し、制御によって第１のスイッチ１１８がＯＮとなる。そして、圧縮符号化回路１１０にカメラ信号処理回路１０６から画像データが入力され、ＪＰＥＧ方式での圧縮符号化が行われる。
【００３８】
ＪＰＥＧデータ変換機能がＯＮである場合は、第３のスイッチ１２０も同じくＯＮとなる。そして、データ共有回路１１４には、圧縮符号化回路１１０からＪＰＥＧ方式の画像データが供給され、無線通信回路１１５によって共有リンクを形成する他の機器に送信される。これにより、ＲＡＷデータ形式の画像データの記録を行うことに連動して、リンク先には、汎用の画像データのフォーマットであるＪＰＥＧ方式の画像データを送信することが可能となる。ここで、変換されたＪＰＥＧ方式の画像データに、対応するＲＡＷデータ形式の画像データを識別するための情報を付加してもよい。識別情報の例としてはＲＡＷデータファイル名等があげられる。
【００３９】
また、データ共有回路１１４はリンク先の機器から送信される画像データを、無線通信回路１１５によって受信し、メディア記録回路１１１に供給することによってリンク先の機器が保有する画像データを記録メディア１１２に記録する。
【００４０】
次に、以上のＲＡＷデータ記録モードの時に、共有リンクが生成された状態において画像データの送受信動作を２台のカメラで行った場合の例について説明する。なお、２台のカメラの内部構成は双方とも図１で説明した映像記録装置１００の構成で実現できるものである。
【００４１】
図４は、共有リンクを生成するために接続処理を開始する時の外観の動作例を示す図である。
図４において、第１のカメラ４０１と第２のカメラ４０２とが無線通信可能な距離に配置されている。第１のカメラ４０１及び第２のカメラ４０２のそれぞれの接続開始ボタンが同時に押下されることによって、第１のカメラ４０１と第２のカメラ４０２との間で共有リンクが生成される。この時、ボタン押下について短い許容期間を設定し、２台のボタン押下時間がこの許容期間内である機器同士を共有リンク機器として相互に設定するなどの処理によって実現してもよい。
【００４２】
図５は、共有リンクが生成された状態の２台のカメラでの撮影状況を示す図である。なお、図５において、第１のカメラ４０１及び第２のカメラ４０２は、通信可能な範囲内で別の被写体を撮影しているものとする。
【００４３】
図６は、本実施形態において、図５の状態における画像データの送受信の概要を示す図である。
図６において、時刻ｔ１では、第１のカメラ４０１において撮影が行われ、ＲＡＷデータ形式の画像データ６０１が記録される。前述のように第１のカメラ４０１では、ＪＰＥＧ方式の画像データへの変換が行われ、リンク先の第２のカメラ４０２に対して送信される。そして、送信されたＪＰＥＧ方式の画像データ６０２は、第２のカメラ４０２において記録される。
【００４４】
次に、時刻ｔ２では、第２のカメラ４０２において撮影が行われ、ＲＡＷデータ形式の画像データ６０３が記録される。同様に第２のカメラ４０２では、ＪＰＥＧ方式の画像データへの変換が行われ、リンク先の第１のカメラ４０１に対して送信される。そして、送信されたＪＰＥＧ方式の画像データ６０４は、第１のカメラ４０１において記録される。
【００４５】
図７は、本実施形態において、図６に示した動作例の詳細を示すタイミングチャートである。
まず、Ｓ７０１、Ｓ７０２では、第１のカメラ４０１と第２のカメラ４０２とにおいて、例えば、図４に示すようなユーザーの操作に応じて共有リンクを生成するための接続開始コマンドを発行する。そして、Ｓ７０３では、通信可能である２台の間で共有リンクを生成するためのネゴシエーションを実行する。この際、送信される画像データのデータ形式は、図８に示す処理手順のように決定され、Ｓ７０４、Ｓ７０５で共有リンクを開始する。なお、図７では、双方がＲＡＷデータ記録モードであり、ＪＰＥＧ変換機能がＯＮに設定されるものとする。
【００４６】
Ｓ７０６において、ユーザーの操作に応じて第１のカメラ４０１において撮影が行われると、第１のカメラ４０１での処理は、２つの処理に分岐する。すなわち、デジタル現像処理であるＳ７０７のカメラ信号処理と、Ｓ７０８におけるＲＡＷデータ形式の画像データを記録するためのＲＡＷデータフォーマット処理とに分岐する。
【００４７】
カメラ信号処理された画像データを、Ｓ７０９においてＪＰＥＧ方式で符号化し、Ｓ７１０からリンク先の機器へ画像データを送信する手順が開始される。Ｓ７１０では、リンク先の第２のカメラ４０２に対して、ＪＰＥＧ方式の画像データを共有データとして送信するリクエストを送信する。Ｓ７１１では、リクエストに対する共有データ受信許可通知を受信し、Ｓ７１２において、ＪＰＥＧ方式の画像データを共有データとして第２のカメラ４０２から送信する。画像データの送信を完了した後は、Ｓ７１３において、共有データ送信完了通知を第１のカメラ４０１から送信する。
【００４８】
一方、Ｓ７０８では、ＲＡＷデータ形式の画像データを生成し、Ｓ７１４において、第１のカメラ４０１に装着された記録メディアにＲＡＷデータ形式の画像データを記録する。
【００４９】
共有データの受信先である第２のカメラ４０２では、Ｓ７１３の共有データ送信完了通知を受信すると、Ｓ７１５では、受信したＪＰＥＧ方式の画像データを共有データとして第２のカメラ４０２に装着された記録メディアに記録する。
【００５０】
Ｓ７１６以降の処理は、逆に第２のカメラ４０２で撮影した後の処理である。Ｓ７１６で第２のカメラ４０２において撮影が行われると、第２のカメラ４０２での処理は、デジタル現像処理のＳ７１７のカメラ信号処理と、Ｓ７１８のＲＡＷデータ形式の画像データを記録するためのＲＡＷデータフォーマット処理とに分岐する。Ｓ７１９では、カメラ信号処理された画像データをＪＰＥＧ方式で符号化し、Ｓ７２０からリンク先の機器への送信手順が開始される。
【００５１】
Ｓ７２０では、リンク先の第１のカメラ４０１に対して、ＪＰＥＧ方式の画像データを共有データとして送信するリクエストを送信する。Ｓ７２１では、リクエストに対する共有データ受信許可通知を受信し、Ｓ７２２において、ＪＰＥＧ方式の画像データを共有データとして送信する。画像データの送信を完了した後は、Ｓ７２３において共有データ送信完了通知を送信する。
【００５２】
一方、Ｓ７１８では、ＲＡＷデータ形式の画像データを生成し、Ｓ７２４において、第２のカメラ４０２に装着された記録メディアにＲＡＷ形式の画像データを記録する。
【００５３】
共有データの受信先である第１のカメラ４０１では、Ｓ７２３の共有データ送信完了通知を受け取ると、Ｓ７２５では、受信したＪＰＥＧ方式の画像データを共有データとして第１のカメラ４０１に装着された記録メディアに記録する。
【００５４】
以上説明したように本実施形態によれば、撮像素子固有のＲＡＷデータ記録モードで撮影中のカメラにおいて、共有リンクを生成して使用する場合、汎用の画像フォーマットであるＪＰＥＧ方式の画像データに変換して送信するようにした。これにより、高画質なＲＡＷデータ形式の画像データを記録するとともに、汎用性のあるＪＰＥＧ方式の画像データを共有することが可能となる。
【００５５】
（第２の実施形態）
本実施形態では、外部装置として、サーバーへアップロードする例について説明する。
図９は、本実施形態における、サーバーへのアップロード機能を備えた映像記録装置の概略構成例を示すブロック図である。
図９において、９０８はシステムコントローラであり、各部の動作およびタイミングを制御する。９０１はカメラ光学系であり、被写体を撮像するレンズ系、露出制御のための絞り機構、フォーカシング制御機構などから構成されている。
【００５６】
カメラ光学系９０１で撮影された被写体からの映像は、撮像素子９０２によって電気信号に変換され、アナログ信号処理回路９０３においてゲイン等の調整が行われる。そして、Ａ／Ｄ変換回路９０４によってデジタルデータに変換され、第１のバッファメモリ９０５に保持される。第１の実施形態の図２で説明したように、このようにして得られるデジタルデータは、通常、撮像素子の構成法に依存した固有のデータ形式である。
【００５７】
カメラ信号処理回路９０６では、撮像素子固有のデータ形式であるデジタルデータに対して、色分離や色空間変換、画素補間、ホワイトバランス、ガンマ処理等からなるデジタル現像処理を行う。そして、例えば、第１の実施形態の図３で説明したような一般的な画像形式に変換する。
【００５８】
このように変換された画像データは、撮像素子の構成に依存しないものであるが、画素全ての情報が揃っているため、データのサイズは依然として大きい。このため、記録メディアへ効率良く記録するためには、ＪＰＥＧ方式等の圧縮符号化を行うことが多い。
【００５９】
映像記録装置９００の記録モードがＪＰＥＧ記録モードである場合、記録モード制御回路９０９の制御によって第１のスイッチ９１８がＯＮとなり、圧縮符号化機能が有効になる。この場合、デジタル現像処理を行った後の画像データは、圧縮符号化回路９１０によって、例えば、ＪＰＥＧ方式の符号化によるデータ圧縮が行われる。
【００６０】
また、記録モードがＪＰＥＧ記録モードである場合、同じく記録モード制御回路９０９の制御によって第２のスイッチ９１９が端子Ａに接続される。そして、圧縮符号化回路９１０によってＪＰＥＧ方式の符号化が行われた画像データが、メディア記録回路９１１に供給される。メディア記録回路９１１は、第２のバッファメモリ９１６に対して画像データのバッファリングを行うとともに、記録メディア９１２にＪＰＥＧ方式で符号化された画像データを記録する。
【００６１】
映像記録装置９００の記録モードがＲＡＷデータ記録モードである場合、ＲＡＷデータフォーマット回路９０７は、第１のバッファメモリ９０５に保持されている撮像素子固有のデータ形式である画像データを読み出す。そして、読み出した画像データに対して、ＲＡＷデータファイルとして必要な付加情報を付加し、ＲＡＷデータ形式に変換する。
【００６２】
なお、ＲＡＷデータ形式の画像データに関しては、可逆符号化を用いたデータ圧縮が行われる場合もある。さらに、ＲＡＷデータファイルには、カメラ信号処理回路９０６でデジタル現像処理を行った画像を縮小したデータがプレビュー／サムネール用データとして付加される場合もある。
【００６３】
一般にＲＡＷデータ記録モードにおいては、ＪＰＥＧ方式による符号化は不要であるため、記録モード制御回路９０９の制御によって第１のスイッチ９１８がＯＦＦとなり、ＪＰＥＧ方式による圧縮符号化が停止される。これは、不要な処理回路を停止することによって消費電力を低減する目的で行われる。
【００６４】
また、記録モードがＲＡＷデータ記録モードである場合、同じく記録モード制御回路９０９の制御によって第２のスイッチ９１９が端子Ｂに接続される。そして、ＲＡＷデータフォーマット回路９０７からＲＡＷデータ形式の画像データがメディア記録回路９１１に供給される。メディア記録回路９１１は、第２のバッファメモリ９１６に対して画像データのバッファリングを行うとともに、記録メディア９１２にＲＡＷデータ形式の画像データを記録する。
【００６５】
次に、サーバーアップロード機能によってアップロードが可能な状態における動作について説明する。
アップロードリンク制御回路９１３は、ユーザーの操作によって、アップロードリンクを生成するための接続処理の開始が指示された場合、無線通信回路９１５を介して通信可能な無線ＬＡＮの基地局の探索を行う。そして、通信可能である場合は、無線ＬＡＮ基地局と、画像データをアップロードするための所定のサーバーとのネットワークの接続を行う。これにより、アップロードリンクが生成されてアップロードが可能な状態では、撮影画像データをサーバーへ送信することが可能になる。無線ＬＡＮ基地局の例としては、Ｗｉ−Ｆｉとして知られる無線ＬＡＮを用いた公衆無線ＬＡＮスポット等がある。
【００６６】
図１４は、本実施形態において、送信する画像データのデータ形式を決定する時の処理手順の一例を示すフローチャートである。
図１４のステップＳ１４０１において、処理を開始すると、次のステップＳ１４０２において、アップロードリンク制御回路９１３は、アップロードリンクを生成するためのネゴシエーションを開始する。次に、ステップＳ１４０３において、接続可能な無線ＬＡＮ基地局及びリンク可能なサーバーが存在するか否かを判定する。この判定の結果、無線ＬＡＮ基地局及びサーバーが存在しなかった場合は、ステップＳ１４０４に進み、リンクエラー処理を行う。
【００６７】
一方、ステップＳ１４０３の判定の結果、接続可能な無線ＬＡＮ基地局及びサーバーが存在する場合は、ステップＳ１４０５に進み、システムコントローラ９０８は、自機の記録モードがＲＡＷデータ記録モードであるか否かを判定する。この判定の結果、自機の記録モードが撮像素子固有のデータ形式のＲＡＷデータ記録モードでない場合は、ＪＰＥＧ方式等の画像データをそのまま送信することが可能なモードであるため、ステップＳ１４０７に進み、ネゴシエーションを終了する。
【００６８】
一方、ステップＳ１４０５の判定の結果、自機の記録モードがＲＡＷデータ記録モードである場合は、次のステップＳ１４０６において、ＪＰＥＧデータ変換機能をＯＮにする。この場合、自機で記録される画像データはＲＡＷデータ形式であるが、送信する画像データは汎用画像フォーマットであるＪＰＥＧ方式の画像データとなる。
【００６９】
次に、図９に示す概略構成の説明に戻り、アップロードリンクが生成された状態における各部動作について説明する。
記録モードがＪＰＥＧ記録モードである場合など、ＪＰＥＧデータ変換機能がＯＮにならない通常モードの場合は、第１のスイッチ９１８及び第３のスイッチ９２０はＯＦＦとなる。そして、データアップロード回路９１４には、メディア記録回路９１１から記録中の画像データそのものが供給され、無線通信回路９１５によって、無線ＬＡＮ基地局及びネットワークを経由してアップロードリンク先のサーバーに送信される。
【００７０】
なお、記録中の画像データは、記録及び送信のタイミング／スピードに応じて第２のバッファメモリ９１６もしくは記録メディア９１２から読み出される。データアップロード回路９１４は、第３の送信用のバッファメモリ９１７に対して、読み出された画像データを送信終了までの期間バッファリングする。
【００７１】
一方、記録モードがＲＡＷデータ記録モードであり、ＪＰＥＧデータ変換機能がＯＮとなる場合は、アップロードリンク制御回路９１３の制御によって第１のスイッチ９１８がＯＮとなる。そして、圧縮符号化回路９１０によるＪＰＥＧ方式での圧縮符号化が行われる。
【００７２】
ＪＰＥＧデータ変換機能がＯＮである場合は、第３のスイッチ９２０も同じくＯＮとなる。データアップロード回路９１４には、圧縮符号化回路９１０からＪＰＥＧ方式の画像データが供給される。そして、無線通信回路９１５によって無線ＬＡＮ基地局及びネットワークを経由してリンク先のサーバーに送信される。これにより、ＲＡＷデータ形式の画像データの記録を行うことに連動して、リンク先のサーバーには、汎用の画像データフォーマットであるＪＰＥＧ方式の画像データを送信することが可能となる。ここで、変換されたＪＰＥＧ方式の画像データに、対応するＲＡＷデータ形式の画像データを識別するための情報を付加してもよい。識別情報の例としてはＲＡＷデータファイル名等があげられる。
【００７３】
次に、以上のＲＡＷデータ記録モードの時の画像データの送受信動作をカメラとサーバーとで行った場合の例について詳細に説明する。
【００７４】
図１０は、ネットワークの接続を開始する時の外観の動作例を示す図である。なお、図１０に示すカメラ１００１の内部構成は図９で説明した映像記録装置９００の構成であるものである。
図１０において、カメラ１００１のアップロードリンクを生成するための接続開始ボタンが押下されることにより、カメラ１００１は通信可能な無線ＬＡＮスポット１００３を探索し、無線ＬＡＮ接続を行う。無線ＬＡＮスポット１００３との接続が完了した後、カメラ１００１は、ネットワークを経由してサーバー１００２との接続を行う。
【００７５】
図１１は、サーバー１００２との間でアップロードリンクが生成された状態におけるカメラ１００１での撮影状況を示す図である。なお、図１１において、カメラ１００１は、異なる時間に異なる２つの被写体を撮影したものとする。
【００７６】
図１２は、図１１の状態における画像データの送受信の概要を示す図である。
図１２において、時刻ｔ１では、カメラ１００１において撮影が行われ、ＲＡＷデータ形式の画像データ１２０１が記録される。前述のようにカメラ１００１では、ＪＰＥＧ方式の画像データへの変換が行われ、リンク先のサーバー１００２に対して送信される。そして、送信されたＪＰＥＧ方式の画像データ１２０２は、サーバー１００２に記録される。
【００７７】
次に、時刻ｔ２では、カメラ１００１において２枚目の撮影が行われ、ＲＡＷデータ形式の画像データ１２０３が記録される。同様にカメラ１００１では、ＪＰＥＧ方式の画像データへの変換が行われ、リンク先のサーバー１００２に対して送信される。そして、送信されたＪＰＥＧ方式の画像データ１２０４は、サーバー１００２に記録される。
【００７８】
図１３は、図１２に示した動作例の詳細を示すタイミングチャートである。
まず、Ｓ１３０１では、カメラ１００１において、例えば、図１０で示したようなユーザーの操作に応じて、アップロードリンクを生成するための接続開始コマンドを発行する。そして、Ｓ１３０２では、通信可能であるカメラ１００１とサーバー１００２との間でアップロードリンクを生成するためのネゴシエーションを実行する。この際、アップロードリンクが生成された状態で送信される画像データのデータ形式は、図１４に示す処理手順のように決定され、Ｓ１３０３でアップロードリンクを開始する。なお、図１３では、カメラ１００１はＲＡＷデータ記録モードであり、ＪＰＥＧ変換機能がＯＮに設定されるものとする。
【００７９】
Ｓ１３０４において、ユーザーの操作に応じてカメラ１００１において撮影が行われると、カメラ１００１での処理は、２つの処理に分岐する。すなわち、デジタル現像処理であるＳ１３０５のカメラ信号処理と、Ｓ１３０６におけるＲＡＷデータ形式の画像データを記録するためのＲＡＷデータフォーマット処理とに分岐する。
【００８０】
カメラ信号処理された画像データを、Ｓ１３０７において、ＪＰＥＧ方式で符号化し、Ｓ１３０８からリンク先のサーバー１００２への送信手順が開始される。まず、Ｓ１３０８では、リンク先のサーバー１００２に対して、ＪＰＥＧ方式の画像データをアップロードデータとして送信するリクエストを送信する。Ｓ１３０９では、リクエストに対するアップロードデータ受信許可通知を受信し、Ｓ１３１０において、ＪＰＥＧ方式の画像データをアップロードデータとして送信する。画像データの送信を完了した後は、Ｓ１３１１において、アップロードデータ送信完了通知を送信する。
【００８１】
一方、Ｓ１３０６では、ＲＡＷデータ形式の画像データを生成し、Ｓ１３１２において、カメラ１００１に装着された記録メディアにＲＡＷデータ形式の画像データを記録する。
【００８２】
アップロードデータの受信先であるサーバー１００２では、Ｓ１３１１のアップロードデータ送信完了通知を受信すると、Ｓ１３１３において、受信したＪＰＥＧ方式の画像データをサーバー１００２内のストレージに保存する。
【００８３】
以上説明したように本実施形態によれば、撮像素子固有のＲＡＷデータ記録モードで撮影中のカメラにおいて、サーバーとアップロードリンクを生成して使用する場合、汎用の画像フォーマットであるＪＰＥＧ方式の画像データに変換して送信するようにした。これにより、高画質なＲＡＷデータ形式の画像データを記録するとともに、汎用性のあるＪＰＥＧ方式の画像データを用いてサーバーにアップロードすることが可能となる。
【００８４】
（第３の実施形態）
第１の実施形態では、ＲＡＷデータ形式の画像データをＪＰＥＧ方式の画像データに変換してリンク先の機器に送信した。本実施形態では、ＲＡＷデータ形式の画像データとＪＰＥＧ方式の画像データとを同時に記録する同時記録モードを設けて、リンク先の機器にＪＰＥＧ方式の画像データを送信する例について説明する。
【００８５】
図１５は、本実施形態における、複数の機器との共有リンクを生成する機能を備えた映像記録装置１１００の概略構成例を示すブロック図である。
図１５において、１１０８はシステムコントローラであり各部の動作およびタイミングを制御する。１１０１はカメラ光学系であり、被写体を撮像するレンズ系、露出制御のための絞り機構、及びフォーカシング制御機構などから構成されている。
【００８６】
カメラ光学系１１０１で撮影された被写体からの映像は、撮像素子１１０２によって電気信号に変換され、アナログ信号処理回路１１０３においてゲイン等の調整が行われる。そして、Ａ／Ｄ変換回路１１０４によってデジタルデータに変換され、第１のバッファメモリ１１０５に保持される。このようにして得られるデジタルデータは、通常、撮像素子の構成法に依存した固有のデータ形式である。
【００８７】
カメラ信号処理回路１１０６では、撮像素子固有のデータ形式であるデジタルデータに対して、色分離や色空間変換、画素補間、ホワイトバランス、ガンマ処理等からなるデジタル現像処理を行う。そして、例えば、第１の実施形態の図３で説明したような一般的な画像形式に変換する。
【００８８】
このように変換された画像データは、撮像素子の構成に依存しないものであるが、画素全ての情報が揃っているためデータのサイズは依然として大きい。このため、記録メディアへの効率良く記録するためには、ＪＰＥＧ方式等の圧縮符号化を行うことが多い。
【００８９】
映像記録装置１１００の記録モードがＪＰＥＧ記録モードである場合、記録モード制御回路１１０９の制御によって第１のスイッチ１１１８がＯＮとなり、圧縮符号化機能が有効になる。この場合、デジタル現像処理を行った後の画像データは、圧縮符号化回路１１１０によって、例えば、ＪＰＥＧ方式の符号化によるデータ圧縮が行われる。
【００９０】
また、記録モードがＪＰＥＧ記録モードである場合、同じく記録モード制御回路１１０９の制御により第２のスイッチ１１１９が端子Ａに接続される。そして、圧縮符号化回路１１１０によってＪＰＥＧ方式の符号化が行われた画像データが、メディア記録回路１１１１に供給される。メディア記録回路１１１１は、第２のバッファメモリ１１１６に対して画像データのバッファリングを行うとともに、記録メディア１１１２にＪＰＥＧ方式で符号化された画像データを記録する。
【００９１】
映像記録装置１１００の記録モードがＲＡＷデータ記録モードである場合、ＲＡＷデータフォーマット回路１１０７は、第１のバッファメモリ１１０５に保持されている撮像素子固有のデータ形式である画像データを読み出す。そして、読み出した画像データに対して、ＲＡＷデータファイルとして必要な付加情報を付加し、ＲＡＷデータ形式に変換する。
【００９２】
なお、ＲＡＷデータ形式の画像データに関しては、可逆符号化を用いたデータ圧縮が行われる場合もある。さらに、ＲＡＷデータファイルには、カメラ信号処理回路１１０６でデジタル現像処理を行った画像を縮小したデータがプレビュー／サムネール用データとして付加される場合もある。
【００９３】
一般にＲＡＷデータ記録モードにおいては、ＪＰＥＧ方式による符号化は不要であるため、記録モード制御回路１１０９の制御によって第１のスイッチ１１１８がＯＦＦとなり、ＪＰＥＧ方式による圧縮符号化が停止される。これは、不要な処理回路を停止することによって消費電力を低減する目的で行われる。
【００９４】
また、記録モードがＲＡＷデータ記録モードである場合、同じく記録モード制御回路１１０９の制御によって第２のスイッチ１１１９は端子Ｃに接続される。そして、ＲＡＷデータフォーマット回路１１０７からＲＡＷデータ形式の画像データがメディア記録回路１１１１に供給される。メディア記録回路１１１１は、第２のバッファメモリ１１１６に対して画像データのバッファリングを行うとともに、記録メディア１１１２にＲＡＷデータ形式の画像データを記録する。
【００９５】
さらに、本実施形態においては、映像記録装置１１００の記録モードがＲＡＷデータ形式の画像データとＪＰＥＧ方式の画像データとを同時に記録する同時記録モードを備えている。同時記録モードである場合、ＪＰＥＧ方式の符号化を有効にするために、記録モード制御回路１１０９の制御によって、第１のスイッチ１１１８がＯＮになる。そして、圧縮符号化回路１１１０によって、例えば、ＪＰＥＧ方式の符号化によるデータ圧縮が行われる。なお、同時記録モードは、ユーザーの操作により選択される記録モードとして存在するモードである。
【００９６】
同時記録モードでは、さらに並行してＲＡＷデータ形式の画像データを記録するための処理も行われる。ＲＡＷデータフォーマット回路１１０７は、第１のバッファメモリ１１０５に保持されている撮像素子固有のデータ形式である画像データに対して、ＲＡＷデータファイルとして必要な付加情報を付加し、ＲＡＷデータ形式に変換する。
【００９７】
なお、ＲＡＷデータ形式の画像データに関しては、可逆符号化を用いたデータ圧縮が行われる場合もある。ＲＡＷデータファイルには、カメラ信号処理回路１１０６でデジタル現像処理を行った画像を縮小したデータがプレビュー／サムネール用データとして付加される場合もある。
【００９８】
圧縮符号化回路１１１０において符号化されたＪＰＥＧ方式の画像データ、及びＲＡＷデータフォーマット回路１１０７においてＲＡＷデータ形式に変換された画像データは、同時記録制御回路１１２０に供給される。同時記録制御回路１１２０は、ＲＡＷデータ形式の画像データ及びＪＰＥＧ方式の画像データを同時記録するために必要な書き込みタイミングの制御及びデータバッファリングを行うためのものである。
【００９９】
同時記録モードでは、記録モード制御回路１１０９の制御により第２のスイッチ１１１９が端子Ｂに接続される。そして、同時記録制御回路１１２０から出力される画像データがメディア記録回路１１１１に供給される。メディア記録回路１１１１は、第２のバッファメモリ１１１６に対して画像データのバッファリングを行うとともに、記録メディア１１１２にＲＡＷデータ形式の画像データとＪＰＥＧ方式で符号化された画像データとの双方を記録する。
【０１００】
次に、他の映像記録装置と画像を交換するために、接続処理を行う時の動作について説明する。
共有リンク制御回路１１１３は、ユーザーの操作によって、共有リンクを生成するための接続処理の開始が指示された場合、無線通信回路１１１５を介して他の映像記録装置から共有リンクを生成することが可能な装置の探索を行う。そして、該当する機器との共有リンクを生成する。これにより、接続された機器同士で撮影画像データの送受信が可能になる。
【０１０１】
また、本実施形態において、共有リンク制御回路１１１３は、共有リンクを生成するためのネゴシエーション段階において、自機の記録モードとリンク先の機器の再生可能ファイル形式とを考慮して、送信用の画像データのデータ形式を決定する。
【０１０２】
図１８は、本実施形態において、送信する画像データのデータ形式を決定する時の処理手順の一例を示すフローチャートである。
図１８のステップＳ１８０１において、処理を開始すると、ステップＳ１８０２において、共有リンク制御回路１１１３は、共有リンクを生成するためのネゴシエーションを開始する。次に、ステップＳ１８０３において、共有リンクを生成することが可能な機器が存在するか否かを判定する。この判定の結果、共有リンクを生成することが可能な機器が存在しなかった場合は、ステップＳ１８０４に進み、リンクエラー処理を行う。
【０１０３】
一方、ステップＳ１８０３の判定の結果、共有リンクを生成することが可能な機器が存在する場合は、ステップＳ１８０５に進み、システムコントローラ１１０８は、自機の記録モードがＲＡＷデータ記録モードであるか否かを判定する。この判定の結果、自機の記録モードが撮像素子固有のデータ形式のＲＡＷデータ形式の画像データのみを記録するＲＡＷデータ記録モードでない場合は、ＪＰＥＧ方式の画像データ等の送信可能な画像データが存在することとなる。このため、ステップＳ１８０９に進み、ネゴシエーションを終了する。
【０１０４】
一方、ステップＳ１８０５の判定の結果、自機の記録モードがＲＡＷデータ記録モードであった場合は、次のステップＳ１８０６において、接続先の機器に対して、再生フォーマットを問い合わせる。次に、ステップＳ１８０７において、自機の記録モードで変換されたＲＡＷデータ形式の画像データが接続先の機器において再生可能であるか否かを判定する。この判定の結果、再生可能である場合は、ＲＡＷデータ形式の画像データをそのまま送信する通常モードとしてステップＳ１８０９に進み、ネゴシエーションを終了する。
【０１０５】
一方、ステップＳ１８０７の判定の結果、接続先の機器においてＲＡＷデータ形式の画像データが再生不可である場合は、ステップＳ１８０８に進む。そして、システムコントローラ１１０８は、自機の記録モードをＲＡＷ形式の画像データとＪＰＥＧ方式の画像データとを同時に記録する同時記録モードに変更する。この場合、自機で記録される画像データはＲＡＷデータ形式の画像データとＪＰＥＧ方式の画像データとの双方であるが、送信される画像データは汎用画像フォーマットであるＪＰＥＧ方式の画像データとなる。
【０１０６】
また、接続先の機器でＲＡＷデータ形式の画像データが再生可能であるか否かにかかわらず転送するデータ量を削減する等のために、送信データをＪＰＥＧ方式の画像データとしてもよい。この場合は、ステップＳ１８０６〜Ｓ１８０７をスキップし、ステップＳ１８０５での自機の記録モードによってステップＳ１８０８の同時記録モードに変更することを決定してもよい。
【０１０７】
なお、本実施形態では、前述のユーザーの操作によって設定された同時記録モードと区別するため、接続処理において変更された同時記録モードを、以後の説明ではリンク中同時記録モードと呼ぶことにする。
【０１０８】
次に、図１５に示す概略構成の説明に戻り、共有リンクが生成された状態における各部の動作について説明する。
データ共有回路１１１４は、記録メディア１１１２に各々の画像データの記録が完了したことをトリガーとして、メディア記録回路１１１１を経由して記録メディア１１１２から送信可能なデータ形式の画像データを読み出す。そして、無線通信回路１１１５によって、リンク先の他の機器に送信する。また、データ共有回路１１１４は、送信用の第３のバッファメモリ１１１７に対して、読み出された画像データを送信終了までの期間バッファリングする。
【０１０９】
記録モードがＲＡＷデータ記録モードであり、図１８のステップＳ１８０８においてリンク中同時記録モードに変更する場合は、共有リンク制御回路１１１３の制御によって記録モード制御回路１１０９を制御する。そして、記録モード制御回路１１０９は制御手段として機能し、第２のスイッチ１１１９を端子Ｂに接続し、リンク中同時記録モードに変更する。
【０１１０】
なお、変更後のリンク中同時記録モードにおける撮像から記録メディア１１１２への記録までの処理は、前述のユーザーの設定による同時記録モードと同様であるため、説明を省略する。また、リンク中同時記録モードでは、圧縮符号化回路１１１０においてＪＰＥＧ方式で符号化する際に、同時に記録されるＲＡＷデータ形式の画像データを識別するための情報を付加してもよい。識別情報の例としてはＲＡＷデータファイル名等があげられる。
【０１１１】
また、リンク中同時記録モードにおいてＪＰＥＧ方式の画像データであることを示す識別情報を同時に記録してもよい。この識別情報を用いることによって、リンク中同時記録モードで記録されたＪＰＥＧ方式の画像データを検索して、一括削除するなどの機能が実現できる。識別情報の記録方法としては記録メディア１１１２の管理情報や個々のＪＰＥＧ方式の画像データの付加情報、ファイル名による識別などが考えられる。
【０１１２】
リンク中同時記録モードにおいて、データ共有回路１１１４は、記録メディア１１１２に各々の画像データの記録が完了したことをトリガーとして、リンク先の他の機器に送信するための処理を行う。まず、同時に記録されたＲＡＷデータ形式の画像データ及びＪＰＥＧ方式の画像データのうちのＪＰＥＧ方式の画像データを、メディア記録回路１１１１を経由して記録メディア１１１２から読み出す。そして、無線通信回路１１１５によって、リンク先の他の機器に送信する。この際、同時に記録されたＲＡＷデータ形式の画像データについては送信を行なわないようにする。また、データ共有回路１１１４は、送信用の第３のバッファメモリ１１１７に対して、読み出された画像データを送信終了までの期間バッファリングする。
【０１１３】
送信済みデータ消去回路１１２１は、リンク中同時記録モードにおいてＪＰＥＧ方式の画像データの送信を完了した後に、該当する送信済みのＪＰＥＧ方式の画像データを記録メディア１１１２から削除する。これにより、共有リンクを生成したことによって記録モードが変更したことをユーザーにとって意識させることなく、自機に装着された記録メディアにＲＡＷデータ形式の画像データを記録するとともに、共有のためのＪＰＥＧ方式の画像データを送信できる。なお、この送信済みの画像データを消去する機能については、ユーザーの設定により解除できるものであってもよい。
【０１１４】
また、データ共有回路１１１４は、リンク先から送信される画像データを、無線通信回路１１１５によって受信し、メディア記録回路１１１１に供給することによってリンク先の機器が保有する画像データを記録メディア１１１２に記録する。
【０１１５】
共有リンクが生成された状態を終了する時には、共有リンク制御回路１１１３は、記録モード制御回路１１０９を制御することによってリンク中同時記録モードを終了し、共有リンクを生成する前の記録モードに復帰させる。
【０１１６】
次に、ＲＡＷデータ記録モードの時に共有リンクが生成された状態における画像データの送受信動作を２台のカメラで行った場合の例について説明する。なお、２台のカメラの内部構成は双方とも図１５で説明した映像記録装置１１００の構成で実現できるものである。また、共有リンクを生成するために接続処理を開始する時の外観の動作例、共有リンクが生成された状態の２台のカメラでの撮影状況についてはそれぞれ図４及び図５と同様であるため、説明は省略する。
【０１１７】
図１６は、本実施形態において、図５の状態における画像データの送受信の概要を示す図である。
前述のように、第１のカメラ１４０１の記録モードは、共有リンクを生成するための接続処理の開始によりリンク中同時記録モードに変更されたものとする。時刻ｔ１では、第１のカメラ１４０１において撮影が行われ、ＲＡＷデータ形式の画像データ１６０１とＪＰＥＧ方式の画像データ１６０２とが記録される。
【０１１８】
ＪＰＥＧ方式の画像データ１６０２はリンク先の第２のカメラ１４０２に対して送信され、第２のカメラ１４０２では、ＪＰＥＧ方式の画像データ１６０３として記録される。一方、第１のカメラ１４０１では、ＪＰＥＧ方式の画像データ１６０２は送信が完了した後に削除される。
【０１１９】
次に、時刻ｔ２では、第２のカメラ１４０２において撮影が行われ、同様にＲＡＷデータ形式の画像データ１６０４とＪＰＥＧ方式の画像データ１６０５とが記録される。ＪＰＥＧ方式の画像データ１６０５はリンク先の第１のカメラ１４０１に対して送信され、第１のカメラ１４０１では、ＪＰＥＧ方式の画像データ１６０６として記録される。一方、第２のカメラ１４０２では、ＪＰＥＧ方式の画像データ１６０５は送信が完了した後に削除される。
【０１２０】
図１７は、本実施形態において、図１６に示した動作例の詳細を示すタイミングチャートである。
まず、Ｓ１７０１、Ｓ１７０２では、第１のカメラ１４０１と第２のカメラ１４０２とにおいて、例えば、図４に示すようなユーザーの操作に応じて共有リンクを生成するための接続開始コマンドを発行する。そして、Ｓ１７０３では、通信可能である２台の間で共有リンクを生成するためのネゴシエーションを実行する。この際、送信される画像データのデータ形式は、図１８に示す処理手順のように決定され、Ｓ１７０４、Ｓ１７０５で共有リンクを開始する。なお、図１７では、双方とも元々ＲＡＷデータ記録モードであり、接続処理の開始によりリンク中同時記録モードに変更されるものとする。
【０１２１】
Ｓ１７０６において、ユーザーの操作に応じて第１のカメラ１４０１において撮影が行われると、第１のカメラ１４０１での処理は、２つの処理に分岐する。すなわち、リンク中同時記録モードに変更されたことによるデジタル現像処理であるＳ１７０７のカメラ信号処理と、Ｓ１７０８におけるＲＡＷデータ形式の画像データを記録するためのＲＡＷデータフォーマット処理とに分岐する。
【０１２２】
カメラ信号処理された画像データを、Ｓ１７０９においてＪＰＥＧ方式で符号化し、Ｓ１７１０では、リンク中同時記録モードによって、ＲＡＷデータ形式の画像データとＪＰＥＧ方式の画像データとの双方の記録を行う。
【０１２３】
Ｓ１７１１からリンク先の機器へ画像データを送信する手順が開始される。まず、Ｓ１７１１では、リンク先の第２のカメラ１４０２に対して、ＪＰＥＧ方式の画像データを共有データとして送信するリクエストを送信する。Ｓ１７１２では、リクエストに対する共有データ受信許可通知を受信し、Ｓ１７１３において、リンク中同時記録モードによって記録されたＪＰＥＧ方式の画像データを共有データとして第１のカメラ１４０１から送信する。画像データの送信を完了した後は、Ｓ１７１４において、共有データ送信完了通知を第１のカメラ１４０１から送信する。
【０１２４】
一方、ＪＰＥＧ方式の画像データの送信を完了した後のＳ１７１５では、リンク中同時記録モードによって記録されたＪＰＥＧ方式の画像データを消去する。
【０１２５】
共有データの受信先である第２のカメラ１４０２では、Ｓ１７１４の共有データ送信完了通知を受信すると、Ｓ１７１６では、受信したＪＰＥＧ方式の画像データを共有データとして第２のカメラ１４０２に装着された記録メディアに記録する。
【０１２６】
Ｓ１７１７以降の処理は、逆に第２のカメラ１４０２で撮影した後の処理である。Ｓ１７１７で第２のカメラ１４０２において撮影が行われると、第２のカメラ１４０２での処理は、同様に２つの処理に分岐する。すなわち、リンク中同時記録モードに変更されたことによるデジタル現像処理のＳ１７１８のカメラ信号処理と、Ｓ１７１９におけるＲＡＷデータ形式の画像データを記録するためのＲＡＷデータフォーマット処理とに分岐する。
【０１２７】
カメラ信号処理された画像データを、Ｓ１７２０においてＪＰＥＧ方式に符号化し、Ｓ１７２１では、リンク中同時記録モードによって、ＲＡＷデータ形式の画像データとＪＰＥＧ方式の画像データとの双方の記録を行う。
【０１２８】
Ｓ１７２２からリンク先の機器へ送信する手順が開始される。Ｓ１７２２では、リンク先の第１のカメラ１４０１に対してＪＰＥＧ方式の画像データを共有データとして送信するリクエストを送信する。Ｓ１７２３では、リクエストに対する共有データ受信許可通知を受信し、Ｓ１７２４において、リンク中同時記録モードによって記録されたＪＰＥＧ方式の画像データを共有データとして第２のカメラ１４０２から送信する。画像データの送信を完了した後は、Ｓ１７２５において、共有データ送信完了通知を第２のカメラ１４０２から送信する。
【０１２９】
一方、ＪＰＥＧ方式の画像データの送信を完了した後のＳ１７２６では、リンク中同時記録モードによって記録されたＪＰＥＧ方式の画像データを消去する。
共有データの受信先である第１のカメラ１４０１では、Ｓ１７２５の共有データ送信完了通知を受信すると、Ｓ１７２７では、受信したＪＰＥＧ方式の画像データを共有データとして第１のカメラ１４０１に装着された記録メディアに記録する。
【０１３０】
以上説明したように本実施形態によれば、撮像素子固有のＲＡＷデータ記録モードで撮影中のカメラにおいて、共有リンクを生成して使用する場合、汎用の画像フォーマットであるＪＰＥＧ方式の画像データも同時に記録するようにした。これにより、高画質なＲＡＷデータ形式の画像データを記録するとともに、汎用性のあるＪＰＥＧ方式の画像データを送信して画像データを共有することが可能となる。また、リンク中同時記録モードによって記録されたＪＰＥＧ方式の画像データを画像データの送信が完了した後に消去することによって、ユーザーにリンク中同時記録モードへ変更したことを意識させないようにすることができる。
【０１３１】
（第４の実施形態）
本実施形態では、ＲＡＷデータ形式の画像データとＪＰＥＧ方式の画像データとを同時に記録する同時記録モードを設けて、リンク先のサーバーにＪＰＥＧ方式の画像データを送信する例について説明する。
【０１３２】
図１９は、本実施における、サーバーへのアップロード機能を備えた映像記録装置１９００の概略構成例を示すブロック図である。
図１９において、１９０８はシステムコントローラであり、各部の動作およびタイミングを制御する。１９０１はカメラ光学系であり、被写体を撮像するレンズ系、露出制御のための絞り機構、フォーカシング制御機構などから構成されている。
【０１３３】
カメラ光学系１９０１で撮影された被写体からの映像は、撮像素子１９０２によって電気信号に変換されアナログ信号処理回路１９０３でゲイン等の調整が行われる。そして、Ａ／Ｄ変換回路１９０４によってデジタルデータに変換され、第１のバッファメモリ１９０５に保持される。第１実施形態の図２で説明したように、このようにして得られるデジタルデータは、通常、撮像素子の構成法に依存した固有のデータ形式である。
【０１３４】
カメラ信号処理回路１９０６では、撮像素子固有のデータ形式であるデジタルデータに対して、色分離や色空間変換、画素補間、ホワイトバランス、ガンマ処理等からなるデジタル現像処理を行う。そして、例えば、第１の実施形態の図３で説明したような一般的な画像形式に変換する。
【０１３５】
このように変換された画像データは、撮像素子の構成に依存しないものであるが、画素全ての情報が揃っているため、データのサイズは依然として大きい。このため、記録メディアへ効率良く記録するためには、ＪＰＥＧ方式等の圧縮符号化を行うことが多い。
【０１３６】
映像記録装置１９００の記録モードがＪＰＥＧ記録モードである場合、記録モード制御回路１９０９の制御によって第１のスイッチ１９１８がＯＮとなり、圧縮符号化機能が有効になる。この場合、デジタル現像処理を行った後の画像データは、圧縮符号化回路１９１０によって、例えば、ＪＰＥＧ方式の符号化によるデータ圧縮が行われる。
【０１３７】
また、記録モードがＪＰＥＧ記録モードである場合、同じく記録モード制御回路１９０９の制御により第２のスイッチ１９１９が端子Ａに接続される。そして、圧縮符号化回路１９１０によってＪＰＥＧ方式で符号化された画像データがメディア記録回路１９１１に供給される。メディア記録回路１９１１は、第２のバッファメモリ１９１６に対して画像データのバッファリングを行うとともに、記録メディア１９１２にＪＰＥＧ方式で符号化された画像データを記録する。
【０１３８】
映像記録装置１９００の記録モードがＲＡＷデータ記録モードである場合、ＲＡＷデータフォーマット回路１９０７は、第１のバッファメモリ１９０５に保持されている撮像素子固有のデータ形式である画像データを読み出す。そして、読み出した画像データに対して、ＲＡＷデータファイルとして必要な付加情報を付加し、ＲＡＷデータ形式に変換する。
【０１３９】
なお、ＲＡＷデータ形式の画像データに関しては、可逆符号化を用いたデータ圧縮が行われる場合もある。ＲＡＷデータファイルには、カメラ信号処理回路１９０６でデジタル現像処理を行った画像を縮小したデータがプレビュー／サムネール用データとして付加される場合もある。
【０１４０】
一般にＲＡＷデータ記録モードにおいては、ＪＰＥＧ方式による符号化は不要であるため、記録モード制御回路１９０９の制御によって第１のスイッチ１９１８がＯＦＦとなり、ＪＰＥＧ方式による圧縮符号化が停止される。これは、不要な処理回路を停止することによって消費電力を低減する目的で行われる。
【０１４１】
また、記録モードがＲＡＷデータ記録モードである場合、同じく記録モード制御回路１９０９の制御によって第２のスイッチ１９１９が端子Ｃに接続される。ＲＡＷデータフォーマット回路１９０７からＲＡＷデータ形式の画像データがメディア記録回路１９１１に供給される。メディア記録回路９１１は、第２のバッファメモリ１９１６に対して画像データのバッファリングを行うとともに、記録メディア１９１２にＲＡＷデータ形式の画像データを記録する。
【０１４２】
映像記録装置１９００の記録モードが同時記録モードである場合、ＪＰＥＧ方式の符号化を有効にするために、記録モード制御回路１９０９の制御によって第１のスイッチ１９１８がＯＮになる。そして、圧縮符号化回路１９１０によって、例えば、ＪＰＥＧ方式の符号化によるデータ圧縮が行われる。なお、同時記録モードは、ユーザーの操作により選択される記録モードとして存在するモードである。
【０１４３】
同時記録モードでは、さらに、ＲＡＷデータ形式の画像データを記録するための処理も行われる。ＲＡＷデータフォーマット回路１９０７は、第１のバッファメモリ１９０５に保持されている撮像素子固有のデータ形式である画像データに対して、ＲＡＷデータファイルとして必要な付加情報を付加し、ＲＡＷデータ形式に変換する。
【０１４４】
なお、ＲＡＷ形式の画像データに関しては、可逆符号化を用いたデータ圧縮が行われる場合もある。ＲＡＷデータファイルには、カメラ信号処理回路１９０６でデジタル現像処理を行った画像を縮小したデータがプレビュー／サムネール用データとして付加される場合もある。
【０１４５】
圧縮符号化回路１９１０において符号化されたＪＰＥＧ方式の画像データ、及びＲＡＷデータフォーマット回路１９０７においてＲＡＷデータ形式に変換された画像データは、同時記録制御回路１９２０に供給される。同時記録制御回路１９２０は、ＲＡＷデータ形式の画像データ及びＪＰＥＧ方式の画像データの同時記録に必要な書き込みタイミングの制御及びデータバッファリングを行うためのものである。
【０１４６】
同時記録モードでは、記録モード制御回路１９０９の制御により第２のスイッチ１９１９は端子Ｂに接続される。そして、同時記録制御回路１９２０から出力される画像データがメディア記録回路１９１１に供給される。メディア記録回路１９１１は、第２のバッファメモリ１９１６に対して画像データのバッファリングを行うとともに、記録メディア１９１２にＲＡＷデータ形式による画像データとＪＰＥＧ方式で符号化された画像データとの双方を記録する。
【０１４７】
次に、サーバーアップロード機能によってアップロードが可能な状態における動作について説明する。
アップロードリンク制御回路１９１３は、ユーザーの操作によって、アップロードリンクを生成するための接続処理の開始が指示された場合、無線通信回路１９１５を介して通信可能な無線ＬＡＮの基地局の探索を行う。そして、通信可能である場合は、無線ＬＡＮ基地局と、画像データをアップロードするための所定のサーバーとのネットワークの接続を行う。これにより、アップロードリンクが生成されてアップロードが可能な状態では、撮影画像データをサーバーへ送信することが可能になる。無線ＬＡＮ基地局の例としては、Ｗｉ−Ｆｉとして知られる無線ＬＡＮを用いた公衆無線ＬＡＮスポット等がある。
【０１４８】
図２２は、本実施形態において、に送信する画像データのデータ形式を決定する時の処理手順の一例を示すフローチャートである。
図２２のステップＳ２２０１において、処理を開始すると、次のステップＳ２２０２において、アップロードリンク制御回路１９１３は、アップロードリンクを生成するためのネゴシエーションを開始する。次に、Ｓ２２０３において、接続可能な無線ＬＡＮ基地局及びリンク可能なサーバーが存在するか否かを判定する。この判定の結果、無線ＬＡＮ基地局及びサーバーが存在しなかった場合は、ステップＳ２２０４に進み、リンクエラー処理を行う。
【０１４９】
一方、ステップＳ２２０３の判定の結果、接続可能な無線ＬＡＮ基地局及びサーバーが存在する場合は、ステップＳ２２０５に進み、システムコントローラ１９０８は、自機の記録モードがＲＡＷデータ記録モードであるか否かを判定する。この判定の結果、自機の記録モードが撮像素子固有のデータ形式のＲＡＷデータ記録モードでない場合は、ＪＰＥＧ方式等の画像データをそのまま送信することが可能なモードであるため、ステップＳ２２０７に進み、ネゴシエーションを終了する。
【０１５０】
一方、ステップＳ２２０５の判定の結果、自機の記録モードがＲＡＷデータ記録モードである場合は、次のステップＳ２２０６において、自機の記録モードを同時記録モード（リンク中同時記録モード）に変更する。この場合、自機で記録される画像データはＲＡＷデータ形式の画像データとＪＰＥＧ方式の画像データとの双方であるが、送信される画像データは汎用画像フォーマットであるＪＰＥＧ方式の画像データとなる。
【０１５１】
次に、図１９に示す概略構成の説明に戻り、アップロードリンクが生成された状態における各部の動作について説明する。
データアップロード回路１９１４は、記録メディア１９１２に各々の画像データの記録が完了したことをトリガーとして、メディア記録回路１９１１を経由して記録メディア１９１２から送信可能なデータ形式の画像データを読み出す。そして、無線通信回路１９１５によって無線ＬＡＮ基地局及びネットワークを経由してリンク先のサーバーに送信する。また、データアップロード回路１９１４は、送信用の第３のバッファメモリ１９１７に対して、読み出された画像データを送信終了までの期間バッファリングする。
【０１５２】
記録モードがＲＡＷデータ記録モードであり、図２２のステップＳ２２０６においてリンク中同時記録モードに変更する場合は、アップロードリンク制御回路１９１３の制御によって記録モード制御回路９０９を制御する。そして、第２のスイッチ１９１９を端子Ｂに接続し、リンク中同時記録モードに変更する。
【０１５３】
なお、変更後のリンク中同時記録モードにおける撮像から記録メディア１９１２への記録までの処理は、前述のユーザーの設定による同時記録モードと同様であるため、説明を省略する。また、リンク中同時記録モードでは、圧縮符号化回路１９１０においてＪＰＥＧ方式で符号化する際に、同時に記録されるＲＡＷデータ形式の画像データを識別するための情報を付加してもよい。識別情報の例としてはＲＡＷデータファイル名等があげられる。
【０１５４】
また、リンク中同時記録モードにおいてＪＰＥＧ方式の画像データであることを示す識別情報を同時に記録してもよい。この識別情報を用いることによって、リンク中同時記録モードで記録されたＪＰＥＧ方式の画像データを検索して、一括削除するなどの機能が実現できる。識別情報の記録方法としては記録メディア１９１２の管理情報や個々のＪＰＥＧ方式の画像データの付加情報、ファイル名による識別などが考えられる。
【０１５５】
リンク中同時記録モードにおいて、データアップロード回路１９１４は、記録メディア１９１２に各々の画像データの記録が完了したことをトリガーとして、無線ＬＡＮ基地局及びネットワークを経由してリンク先のサーバーに送信するための処理を行う。まず、同時に記録されたＲＡＷデータ形式の画像データ及びＪＰＥＧ方式の画像データのうちのＪＰＥＧ方式の画像データを、メディア記録回路１９１１を経由して記録メディア１９１２から読み出す。そして、無線通信回路１９１５によって、無線ＬＡＮ基地局及びネットワークを経由してリンク先のサーバーに送信する。この際、同時に記録されたＲＡＷデータ形式の画像データについては送信を行なわないようにする。また、送信用の第３のバッファメモリ１９１６に対して、読み出された画像データを送信終了までの期間バッファリングする。
【０１５６】
送信済みデータ消去回路１９２１は、リンク中同時記録モードにおいてＪＰＥＧ方式の画像データの送信を完了した後、該当する送信済みのＪＰＥＧ方式の画像データを記録メディア１９１２から削除する。これにより、アップロードリンクを生成したことによって記録モードが変更したことをユーザーにとって意識させることなく、ＲＡＷデータ形式の画像データを記録するとともに、アップロードのためのＪＰＥＧ方式の画像データを送信できる。なお、この送信済みの画像データを消去する機能については、ユーザーの設定により解除できるものであってもよい。
【０１５７】
アップロードリンクが生成された状態を終了する時には、アップロードリンク制御回路１９１３は、記録モード制御回路１９０９を制御することによってリンク中同時記録モードを終了し、アップロードリンクを生成する前の記録モードに復帰させる。
【０１５８】
次に、ＲＡＷデータ記録モードの時にアップロードリンクが生成された状態における画像データの送受信動作をカメラとサーバーと行った場合の例について説明する。なお、ネットワークの接続を開始する時の外観の動作例、サーバーとの間でアップロードリンクが生成された状態におけるカメラでの撮影状況についてはそれぞれ図１０及び図１１と同様であるため、説明は省略する。
【０１５９】
図２０は、本実施形態において、図１１の状態における画像データの送受信の概要を示す図である。
前述のようにカメラ１５０１の記録モードは、アップロードリンクを生成するための接続処理の開始によりリンク中同時記録モードに変更されたものとする。時刻ｔ１では、カメラ１５０１において撮影が行われ、ＲＡＷデータ形式の画像データ２００１とＪＰＥＧ方式の画像データ２００２とが記録される。
【０１６０】
ＪＰＥＧ方式の画像データ２００２はリンク先のサーバー１５０２に対して送信され、ＪＰＥＧ方式の画像データ２００３としてサーバー１５０２に保存される。一方、カメラ１５０１では、ＪＰＥＧ方式の画像データ２００２は送信が完了した後に削除される。
【０１６１】
次に、時刻ｔ２では、カメラ１５０１において２枚目の撮影が行われ、同様にＲＡＷデータ形式の画像データ２００４とＪＰＥＧ方式の画像データ２００５とが記録される。ＪＰＥＧ方式の画像データ２００５はリンク先のサーバー１５０２に対して送信され、ＪＰＥＧ方式の画像データ２００６としてサーバー１５０２に保存される。一方、カメラ１５０１では、ＪＰＥＧ方式の画像データ２００５は送信が完了した後に削除される。
【０１６２】
図２１は、本実施形態において、図２０に示した動作例の詳細を示すタイミングチャートである。
まず、Ｓ２１０１では、カメラ１５０１において、例えば、図１０に示したようなユーザーの操作に応じて、アップロードリンクを生成するための接続開始コマンドを発行する。そして、Ｓ２１０２では、通信可能であるカメラ１５０１とサーバー１５０２との間でアップロードリンクを生成するためのネゴシエーションを実行する。この際、アップロードリンクが生成された状態で送信される画像データのデータ形式は図２２に示す処理手順のように決定され、Ｓ２１０３でアップロードリンクを開始する。なお、図１３では、カメラ１５０１は元々ＲＡＷデータ記録モードであり、接続処理の開始によりリンク中同時記録モードに変更されるものとする。
【０１６３】
Ｓ２１０４において、ユーザーの操作に応じてカメラ１５０１において撮影が行われると、カメラ１５０１での処理は、２つの処理に分岐する。すなわち、リンク中同時記録モードに変更されたことによるデジタル現像処理であるＳ２１０５のカメラ信号処理と、Ｓ２１０６におけるＲＡＷデータ形式の画像データを記録するためのＲＡＷデータフォーマット処理とに分岐する。
【０１６４】
カメラ信号処理された画像データを、Ｓ２１０７においてＪＰＥＧ方式で符号化し、Ｓ２１０８では、リンク中同時記録モードによって、ＲＡＷデータ形式の画像データとＪＰＥＧ方式の画像データとの双方の記録を行う。
【０１６５】
Ｓ２１０９からリンク先のサーバー１５０２への送信手順が開始される。まず、Ｓ２１０９では、リンク先のサーバー１５０２に対して、ＪＰＥＧ方式の画像データをアップロードデータとして送信するリクエストを送信する。Ｓ２１１０では、リクエストに対するアップロードデータ受信許可通知を受信し、Ｓ２１１１において、リンク中同時記録モードによって記録されたＪＰＥＧ方式の画像データをアップロードデータとして送信する。画像データの送信を完了した後は、Ｓ２１１２において、アップロードデータ送信完了通知を送信する。
【０１６６】
一方、ＪＰＥＧ方式の画像データの送信を完了した後のＳ２１１３では、リンク中同時記録モードによって記録されたＪＰＥＧ方式の画像データを消去する。
【０１６７】
アップロードデータの受信先であるサーバー１５０２では、Ｓ２１１２のアップロードデータ送信完了通知を受信すると、Ｓ２１１４において、受信したＪＰＥＧ方式の画像データをサーバー１５０２内のストレージに保存する。
【０１６８】
以上説明したように本実施形態によれば、撮像素子固有のＲＡＷデータ記録モードで撮影中のカメラにおいて、サーバーとのアップロードリンクを生成して使用する場合、汎用の画像フォーマットであるＪＰＥＧ方式の画像データも同時に記録するようにした。これにより、高画質なＲＡＷデータ形式の画像データを記録するとともに、汎用性のあるＪＰＥＧ方式の画像データを送信してサーバーにアップロードすることが可能となる。リンク中同時記録モードによって記録されたＪＰＥＧデータは送信完了時に消去することによってユーザーにリンク中同時記録モードへの変更を意識させることなく実行可能である。
【０１６９】
（本発明に係る他の実施形態）
前述した本発明の実施形態における画像通信装置を構成する各手段、並びに画像通信方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【０１７０】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【０１７１】
なお、本発明は、前述した実施形態の機能を実現するソフトウェアのプログラム（実施形態では図８、１４、１８、２２に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【０１７２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１７３】
その場合、プログラムの機能を有していれば、オブジェクトコード、インタプリタにより実行されるプログラム、ＯＳに供給するスクリプトデータ等の形態であってもよい。
【０１７４】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【０１７５】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【０１７６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバーも、本発明に含まれるものである。
【０１７７】
また、その他の方法として、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１７８】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１７９】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１８０】
【図１】本発明の第１の実施形態における、共有リンク機能を備えた映像記録装置の概略構成例を示すブロック図である。
【図２】一枚のセンサーユニット上に色情報を再現するためのカラーフィルターを配列させた単板方式の画素配置例を示す図である。
【図３】カメラ信号処理回路によるデジタル現像処理の結果を示す図である。
【図４】本発明の第１の実施形態において、共有リンクを生成するために接続処理を開始する時の外観の動作例を示す図である。
【図５】共有リンクが生成された状態の２台のカメラでの撮影状況を示す図である。
【図６】本発明の第１の実施形態において、図５の状態における画像データの送受信の概要を示す図である。
【図７】本発明の第１の実施形態において、図６に示した動作例の詳細を示すタイミングチャートである。
【図８】本発明の第１の実施形態において、送信する画像データのデータ形式を決定する時の処理手順の一例を示すフローチャートである。
【図９】本発明の第２の実施形態における、サーバーへのアップロード機能を備えた映像記録装置の概略構成例を示すブロック図である。
【図１０】ネットワークの接続を開始する時の外観の動作例を示す図である。
【図１１】サーバーとの間でアップロードリンクが生成された状態におけるカメラでの撮影状況を示す図である。
【図１２】本発明の第２の実施形態において、図１１の状態における画像データの送受信の概要を示す図である。
【図１３】本発明の第２の実施形態において、図１２に示した動作例の詳細を示すタイミングチャートである。
【図１４】本発明の第２の実施形態において、送信する画像データのデータ形式を決定する時の処理手順の一例を示すフローチャートである。
【図１５】本発明の第３の実施形態における、共有リンク機能を備えた映像記録装置の概略構成例を示すブロック図である。
【図１６】本発明の第３の実施形態において、図５の状態における画像データの送受信の概要を示す図である。
【図１７】本発明の第３の実施形態において、図１６に示した動作例の詳細を示すタイミングチャートである。
【図１８】本発明の第３の実施形態において、送信する画像データのデータ形式を決定する時の処理手順の一例を示すフローチャートである。
【図１９】本発明の第４の実施形態における、サーバーへのアップロード機能を備えた映像記録装置の概略構成例を示すブロック図である。
【図２０】本発明の第４の実施形態において、図１１の状態における画像データの送受信の概要を示す図である。
【図２１】本発明の第４の実施形態において、図２０に示した動作例の詳細を示すタイミングチャートである。
【図２２】本発明の第４の実施形態において、送信する画像データのデータ形式を決定する時の処理手順の一例を示すフローチャートである。
【符号の説明】
【０１８１】
１００  映像記録装置
１０１  カメラ光学系
１０２  撮像素子
１０３  アナログ信号処理回路
１０４  Ａ／Ｄ変換回路
１０５  第１のバッファメモリ
１０６  カメラ信号処理回路
１０７  ＲＡＷデータフォーマット回路
１０８  システムコントローラ
１０９  記録モード制御回路
１１０  圧縮符号化回路
１１１  メディア記録回路
１１２  記録メディア
１１３  共有リンク制御回路
１１４  データ共有回路
１１５  無線通信回路
１１６  第２のバッファメモリ
１１７  第３のバッファメモリ
１１８  第１のスイッチ
１１９  第２のスイッチ
１２０  第３のスイッチ
【図１】
2010114534.tif 000003
【図２】
2010114534.tif 000004
【図３】
2010114534.tif 000005
【図４】
2010114534.tif 000006
【図５】
2010114534.tif 000007
【図６】
2010114534.tif 000008
【図７】
2010114534.tif 000009
【図８】
2010114534.tif 000010
【図９】
2010114534.tif 000011
【図１０】
2010114534.tif 000012
【図１１】
2010114534.tif 000013
【図１２】
2010114534.tif 000014
【図１３】
2010114534.tif 000015
【図１４】
2010114534.tif 000016
【図１５】
2010114534.tif 000017
【図１６】
2010114534.tif 000018
【図１７】
2010114534.tif 000019
【図１８】
2010114534.tif 000020
【図１９】
2010114534.tif 000021
【図２０】
2010114534.tif 000022
【図２１】
2010114534.tif 000023
【図２２】
2010114534.tif 000024